(57)【要約】【課題】利用者（宿泊者）は、カードキー又はＩＣタグのいずれかを選択することができること。【解決手段】  ホテルの部屋の解錠を行うためのカードキーと、部屋内に設置され、かつカードキーを着脱自在に保持するカードホルダーとを備え、カードキーがカードホルダーに挿入されると該ガードホルダーに設けられたカード挿入検知スイッチを介して部屋内の照明灯が点灯可能になるホテルの部屋の省エネ装置に於いて、カードホルダーにＩＣタグと無線通信によって情報のやり取りをする照明起動用リーダーを含む照明制御部を設け、該照明起動用リーダーは、利用者の携帯電子機器を鍵として部屋のオートロックを解錠した態様であっても、ＩＣタグが検知範囲内に存在する限り、該ＩＣタグと情報のやりとりをし、一方、照明制御部は、照明起動用リーダーから受け取った情報に基づいて前記照明灯を点灯するように制御するホテルの部屋の省エネ装置。【選択図】図５
2012043552.tif 000002
【特許請求の範囲】
【請求項１】
ホテルの部屋の解錠を行うためのカードキーと、部屋内に設置され、かつカードキーを着脱自在に保持するカードホルダーとを備え、少なくともカードキーがカードホルダーに挿入されると該ガードホルダーに設けられたカード挿入検知スイッチを介して部屋内の照明灯が点灯可能になるホテルの部屋の省エネ装置に於いて、
前記カードホルダーに直接又は間接的にＩＣタグと無線通信によって情報のやり取りをする照明起動用リーダーを含む照明制御部を設け、該照明起動用リーダーは、利用者の携帯電子機器を鍵として部屋のオートロックを解錠した態様であっても、該利用者が所持する物との関係で前記ＩＣタグが検知範囲内に存在する限り、該ＩＣタグと情報のやりとりをし、一方、前記照明制御部は、前記照明起動用リーダーから受け取った情報に基づいて前記照明灯を点灯するように制御するホテルの部屋の省エネ装置。
【請求項２】
請求項１に於いて、照明起動用リーダーは、その発信電波が中出力型ＵＨＦ帯又は高出力型ＵＨＦ帯のいずかであり、またカードホルダーは、利用者が操作するための使用開始スイッチを備え、照明制御部は、利用者が前記該使用開始スイッチを操作すると、その作動を開始することを特徴とするホテルの部屋の省エネ装置。
【請求項３】
請求項１又は請求項２に於いて、照明起動用リーダーは、定期的にＩＣタグが検知範囲内に存在するか否か確認し、ＩＣタグが検知範囲内に存在しない場合に於いて、カードホルダーは、その照明制御部よって省エネスイッチを作動させて部屋内の照明灯を消す初期状態へと戻すことを特徴とするホテルの部屋の省エネ装置。
【請求項４】
請求項１乃至請求項３のいずれかに於いて、照明起動用リーダーは、部屋内に検知範囲が重なるように少なくとも２個配設されていることを特徴とするホテルの部屋の省エネ装置。
【請求項５】
請求項１又は請求項４に於いて、ホテルの部屋の開閉体付近の壁には親機としてのカードホルダーが設けられ、この親機に対して所要間隔を有して子機としての照明起動用リーダーを含む照明制御部がさらに前記部屋内に配設されており、前記子機がＩＣタグからの信号を受信した場合には、前記親機に対して、リレー方式又はハブ方式のいずれかで受信した旨を伝達することを特徴とするホテルの部屋の省エネ装置。
【請求項６】
請求項１又は請求項２に於いて、ホテルのフロントの存在する階にセンター処理部と接続するＩＣタグ発行部が設けられて、該ＩＣタグ発行部から発行されたＩＣダグは、利用者（宿泊者）が所持する携帯電子機器やポーチに添付されることを特徴とするホテルの部屋の省エネ装置。
【発明の詳細な説明】
【技術分野】
【０００１】
本発明は、宿泊施設の一例であるホテルの部屋の省エネ装置に関する。
【背景技術】
【０００２】
特許文献１には、カード用スイッチ装置が記載されている。このカード用スイッチ装置は、カードの抜き差しでホテル等の室内（部屋）の照明、エアコン等をオン又はオフするものである。特許文献１の第１図、第２図及び第３図は、本発明の実施例形態のカードホルダーの構造と同様である（但し、本発明の新規事項は除く）。
この種のカード用スイッチ装置は、当業者の間では、「カードホルダー」と称され、部屋内の照明等を点灯・消灯をすることができるのみならず、前記カードを電気錠用のキー（鍵）としても使用することができる「いわゆるカードシステム」として、主にホテルで実用化されている。
【０００３】
また、特許文献２や特許文献３に記載の「カードホルダー」は、特許文献１と同様にケースの上部に設けられたカード挿入口から、カードキーを挿入する構造である。
また、特許文献４や特許文献５には、「ＩＣタグ」を用いて錠前を解錠（開錠）できる事項が記載されているものの、「ＩＣタグ」と特許文献１、特許文献２等の記載の「カードホルダー」とを組み合わせてホテルの室内（部屋）の照明、エアコン等をオンする事項は記載されていない。
【０００４】
さらに、特許文献６や特許文献７には、「携帯電話」を用いて錠前を解錠（開錠）できる事項が記載されている。携帯電話をホテルの部屋の鍵として利用する場合には、前述した「いわゆるカードシステム」の「カードキー」をフロントから貰わなければ、カードホルダーを利用することができない、という難点がある。何故ならば、薄板のカードキーをカードホルダーのカード挿入口に差し込むことはできるが、肉厚の携帯電話は、既設型のカードホルダーのカード挿入口し込むことはできないからである。したがって、ホテルの部屋の省エネ装置に対する利用者の選択が狭まる。
【先行技術文献】
【特許文献】
【０００５】
【特許文献１】実開平３−３３９２８号公報
【特許文献２】特開２００７−１２００６６号公報
【特許文献３】特開２００７−２９３０７３号公報
【特許文献４】特開平９−２７００１１号公報
【特許文献５】特開２００３−１３２４３５号公報
【特許文献６】特開２００６−３４５４４号公報
【特許文献７】特開２００８−１３８４６７号公報
【発明の概要】
【発明が解決しようとする課題】
【０００６】
本願発明の所期の目的は、従来のカードキーシステムをそのまま使用することができると共に、時代の流れで、例えばＦｅｌｉｃａ（登録商標）機能を有する携帯電子機器（少なくともカードキーと同等の機能を有する携帯電話機）が、ホテルの部屋の鍵として利用されるようになってきた実情に伴い、従来技術型（公知）のカードキーをカードホルダーに差し込まなくても、カードホルダーを利用しつつ少なくとも部屋内の照明灯が点灯可能になるホテルの部屋の省エネ装置を提供することである。
【課題を解決するための手段】
【０００７】
本発明のホテルの部屋の省エネ装置は、ホテルの部屋の解錠を行うためのカードキーと、部屋内に設置され、かつカードキーを着脱自在に保持するカードホルダーとを備え、少なくともカードキーがカードホルダーに挿入されると該ガードホルダーに設けられたカード挿入検知スイッチを介して部屋内の照明灯が点灯可能になるホテルの部屋の省エネ装置に於いて、前記カードホルダーに直接又は間接的にＩＣタグと無線通信によって情報のやり取りをする照明起動用リーダーを含む照明制御部を設け、該照明起動用リーダーは、利用者の携帯電子機器を鍵として部屋のオートロックを解錠した態様であっても、該利用者が所持する物との関係で前記ＩＣタグが検知範囲内に存在する限り、該ＩＣタグと情報のやりとりをし、一方、前記照明制御部は、前記照明起動用リーダーから受け取った情報に基づいて前記照明灯を点灯するように制御する。
【０００８】
上記構成に於いて、照明起動用リーダーは、その発信電波が中出力型ＵＨＦ帯又は高出力型ＵＨＦ帯のいずかであり、またカードホルダーは、利用者が操作するための使用開始スイッチを備え、照明制御部は、利用者が前記該使用開始スイッチを操作すると、その作動を開始することを特徴とする。また照明起動用リーダーは、定期的にＩＣタグが検知範囲内に存在するか否か確認し、ＩＣタグが検知範囲内に存在しない場合に於いて、カードホルダーは、その照明制御部よって省エネスイッチを作動させて部屋内の照明灯を消す初期状態へと戻すことを特徴とする。また照明起動用リーダーは、部屋内に検知範囲が重なるように少なくとも２個配設されていることを特徴とする。さらに、ホテルの部屋の開閉体付近の壁には親機としてのカードホルダーが設けられ、この親機に対して所要間隔を有して子機としての照明起動用リーダーを含む照明制御部がさらに前記部屋内に配設されており、前記子機が複数個の場合に於いて、後順位の子機がＩＣタグからの信号を受信した場合には、先順位の子機に対してリレー方式で受信した旨を伝達することを特徴とする。このような実施例の場合には、複数の子機をハブ方式で接続し、中心の子機が手を繋ぐ他の子機からＩＣタグからの信号を受信した旨の信号を受け取った場合には、親機に対してその旨を伝達するようにしても良い。加えて、ホテルのフロントの存在する階にセンター処理部と接続するＩＣタグ発行部が設けられて、該ＩＣタグ発行部から発行されたＩＣダグは、望ましくは利用者（宿泊者）が所持する携帯電子機器、ポーチ、セカンドバック等に添付（例えば貼付）されることを特徴とする。
【発明の効果】
【０００９】
（ａ）従来のカードキーシステムをそのまま使用することができると共に、時代の流れで、例えばＦｅｌｉｃａ（登録商標）機能を有する携帯電子機器（少なくともカードキーと同等の機能を有する携帯電話機）が、ホテルの部屋の鍵として利用されるようになってきた実情に伴い、従来技術型（公知）のカードキーをカードホルダーに差し込まなくても、カードホルダーを利用しつつ部屋内の照明灯が点灯可能になるホテルの部屋の省エネ装置を提供することができる。また、可能な限り、既設のカードキーシステムに用いられるカードキーよりも安価な記憶媒体を活用することができる。また、利用者（宿泊者）は、カードキー又はＩＣタグのいずれかを選択することができるので、従来のカードキーシステムをそのまま使用しても選択の幅は狭まらない。
（ｂ）利用者（宿泊者）が扉を開けると、ＩＣタグが照明起動用リーダーの検知範囲内であれば、携帯電子機器、ポーチ等を照明起動用リーダー付近に設けた特定の載置場所の置かなくても、或いはカードホルダーの挿入口に差し込まなくても、直ちに部屋内の照明灯が点灯する。
（ｃ）実施形態によっては、照明起動用リーダーの検知範囲を広げ、例えばビジネスホテルの部屋内に設置されたベッドの枕もと、デスク等に携帯電子機器を置いても、ＩＣタグとの通信が可能である。
（ｄ）実施形態によっては、部屋を利用しない間、省エネ装置を十分に発揮することができる（請求項２）。
（ｅ）実施形態によっては、利用者が部屋から出て行ったか否かを確認し、省エネ効果を十分に発揮することができる（請求項３）。
（ｆ）その他、既設のカードホルダーの美観を損なうことなく、既設のカードホルダーの設置箇所で使用することができる。
【図面の簡単な説明】
【００１０】
【図１】実施形態に係る省エネ装置Ｘを含む省エネ装置の全体構成図。
【図２】省エネ装置に関連するカードキー発行部、ＩＣタグ発行部等の要部の概念構造図。
【図３】カードホルダーの正面図。
【図４】カードホルダーの正面視からの概略説明図。
【図５】カードホルダーの縦断面概略説明図。
【図６】照明制御部、マイクロスイッチを含む主要部の概念構造図。
【図７】携帯電子機器で解錠する場合のフローチャート。
【図８】ＩＣタグで点灯する場合のフローチャート。
【図９】消灯する場合の一例を示すフローチャート。
【図１０】発信電波が中出力型ＵＨＦ帯である場合の他の実施形態の要部構成図。
【発明を実施するための最良の形態】
【００１１】
（１）全体構成の説明
以下、本発明の実施形態をホテルへの適用を例にして、図面を参照しながら説明する。図１は実施形態に係る省エネ装置Ｘを含む全体構成図である。なお、当業者にとって周知事項の説明は極力割愛し、狭義乃至広義に解釈し得る用語については適宜に定義する。この図において、ホテルＨのフロント１には、図示しないキーボードやマウス等の操作部および液晶ディスプレイ等の表示部が設置されているとともに、カード型の電子キー（この実施形態ではカードキー２と称する。）を発行するためのカードキー発行部３と、ＩＣタグ４を発行するためのＩＣタグ発行部５と、利用者（宿泊者）Ａが所持する携帯電子機器（例えば携帯電話）６に対して電気錠用の解錠コードａを与えるための解錠コード発行部７とがそれぞれ設けられ、これらの各発行部３、５、７は、フロント１またはホテルＨ内の任意場所（たとえば、事務室等）に設置されたセンター処理部８に接続されている。
【００１２】
ここで、カードキー２とは、例えば当業者にルームキー、ゲストカード等と称されるカード状の記憶媒体で、ホテルＨの部屋１０の電気錠１１を解錠するために用いられる鍵のことをいう。電気錠１１はホテルＨの各部屋１０を構成する開閉体（例えばドア）１２の自由端部に取り付けられ、携帯電子機器６が保持する解錠コードａを読取るための解錠コード読取り部１３、オートロック状態にある開閉体１２を開くための開閉体施解錠部１４等を備えている。
【００１３】
また、ここで、ＩＣタグ４とは、ＲＦＩＤ（電波による個別識別体）のことをいい、本実施例では、パッシブタグ（受動型タグ）を用いている。もちろん、ＩＣタグ４は、パッシブタグや能動型のアクティブタグ、或いは双方の組み合わせタグであっても良い。
【００１４】
ところで近年、「ＵＩＤカード」が出現して実用化されている。ＵＩＤカードは、周知のように、ＵＩＤ（Ｕｎｉｑｕｅ  Ｉｄｅｎｔｉｆｉｃａｔｉｏｎ）コードやＩＤｍコードと呼ばれる、全地球規模のユニーク性が保証されたＩＤコードが書き込まれたＩＣチップ内蔵カードであるが、たとえば、我が国におけるＦｅｌｉｃａ（フェリカ）カードやＴａｓｐｏ（タスポ）カードおよび一部のポイントカード、または、諸外国におけるＭｉｆａｒｅ（マイフェア）カードなどがそのＩＤカードの実例である。これらの名称（Ｆｅｌｉｃａ／Ｔａｓｐｏ／Ｍｉｆａｒｅ）は指定商品や指定役務によっては各社の登録商標である。また近年「おさいふケイタイ（登録商標）」と呼ばれる携帯電話が普及しつつある。そこで、錠前の技術分野に於いても、カードキー２は当然のことながら、前述したＩＣタグ４を含め、ＵＩＤカードや、例えばＦｅｌｉｃａ（登録商標）機能を有する携帯電子機器（少なくともカードキーと同等の機能を有する携帯電話機）６が、ホテルの部屋の鍵として利用されるようになってきている。本実施例の電気錠１１は、このような時代の流れに対応して、カードＩＤ、ホテルコード、部屋番号、使用期間、発行日等を含む解錠コードａを保持するカードキー２のみならず、前記解錠コードａを保持する携帯電子機器６をそれぞれ用いて電気錠１１を解錠することができる。
【００１５】
図１及び図２で示すセンター処理部８は、コンピュータ（以下、ＣＰＵ８ａ）を含むとともに、少なくとも、このＣＰＵ８ａで実行する制御プログラムを記憶したプログラム記憶部８ｂと、カードＩＤ、ホテルコード、部屋番号、使用期間、発行日等にそれぞれ関連付けられたデータテーブルを記憶したデータテーブル記憶部８ｃとを有して構成されており、プログラム記憶部８ｂに記憶された制御プログラムをＣＰＵ８ａで実行することにより、前記フロント１に設置されている各部（操作部１ａ、表示部１ｂ、各発行部３、５、７）の動作を制御すると共に、ネットワークを介してそれぞれ接続する各部屋１０の開閉体の電気錠１１の動作を制御する。なお、図１では、ホテルＨの部屋１０は、説明の便宜上「一つ」のみ示しているが、当然、多数の客室（部屋）が存在し、号室の各々には、カードキー２や実施例の携帯電話機６の情報をそれぞれ読み取ってその読み取り情報をセンター処理部８に出力できる前述の解錠コード読取部１３、開閉体施解錠部１４等が設けられている。また、室内には、本発明の主要部である省エネ装置Ｘがそれぞれ設けられている。
【００１６】
（２）省エネ装置Ｘ
図１及び図３乃至図６を参照にして、省エネ装置Ｘの主要部を説明する。２０は部屋１０の出入口付近の室内壁Ｗに垂直状態で固定されるカードホルダーである。このカードホルダー２０の用語は当業者に普通名称的に用いられているが、ホテルの部屋１０の解錠を行なうために部屋内の適宜箇所に設置され、少なくともカードキー２が挿入口を介して上方からケース内に差込まれると、該ケース内に内装されたカード挿入検知スイッチを介して部屋内の単数又は複数の照明灯２１を点灯させる。
【００１７】
しかして、２２は後端開口のケースで、このケースの段差状上壁部分２２ａにはカード挿入口２３が横方向に形成されている。また、ケース２２の前壁２２ｂの下部中央には押しボタン式スイッチ用の小孔２４が形成されている。２５はケースの後端開口を閉じる後壁で、この後壁２５の適宜箇所には不番の取付け小孔が複数個形成されている。２６は前記後壁に複数個の柱状連結具２７、２７を介して取付けられたスイッチ取付け板で、このスイッチ取付け板２６の内壁面には、可動接片（作動片）２８ａを有する第１のマイクロスイッチ（カード挿入検知スイッチ）２８が設けられている。前記可動接片２８ａはケース２２の内壁面と後壁２５の内壁面とで区画された内部空間２９に不番の切欠を介して臨んでいる。
【００１８】
３０は後壁２５の切欠縁より内部空間へと屈曲形成され、かつカード挿入口２３から挿入されたカードキー２の挿入端部を支持するＬ型形状の支持片である。３１は前記カードキー２を可動接片（作動片）２８ａに強制的に押し付けることができるように内部空間２９に内装された板バネ等の弾発性部材で、この弾発性部材３１は、上方の取り付け基端部が適宜にケースの２２内壁面に固定されている。
【００１９】
そして、本実施例のカードホルダー２０は、例えばケース２２の内部空間２９の下部に第２のマイクロスイッチ３３が内装されている。この第２のマイクロスイッチ３３は、従来の第１のマイクロスイッチ２８とは個別の押しボタン３２式のスイッチであり、照明起動用リーダー３５を含む照明制御部３６を作動するためのもの（いわば使用開始スイッチ）である。本実施例では、照明起動用リーダー３５は、ケース２２の内壁面に固定された状態でかつ前記押しボタン３２の先端部が小孔２４から多少突出するように内部空間２９に内装されている。
【００２０】
ここでの照明制御部３６とは、インターフェイスを介して信号を処理する電気素子をいい、必要なＣＰＵ、ソフト、記憶部を含むと共に、さらに入力側の照明起動用リーダー３５や出力側のリレー３７を含み、電気素子とは物理的に別個な単数又は複数のマイクロスイッチ２８、２９は含まれない（広義）。
【００２１】
また、実施形態の照明起動用リーダー３５は、その発信電波が中出力型ＵＨＦ帯又は高出力型ＵＨＦ帯のいずかである。中出力型ＵＨＦ帯の検知範囲（読取り距離）は２ｍ程度であり、また、高出力型ＵＨＦ帯の検知範囲は０〜１０ｍである。図６は、普通一般のビジネスホテル（６畳乃至１０畳）の広さの部屋に高出力型ＵＨＦ帯の照明起動用リーダー３５を採用した照明制御部３６をカードホルダー２０のケースに内装した一例を示す。この実施例の場合には、ＩＣタグ４のＩＤ情報を乗せる反射波の距離が数ｃｍであっても、照明起動用リーダー３５から発振される電波の検知範囲が比較的広いので、照明制御部３６は単数で足りる。なお、照明制御部３６には電源３９が適宜に接続している。
【００２２】
（３）携帯電子機器で解錠する場合のフローチャート
利用者Ａは、省エネ装置Ｘを利用する場合、従来型のカードキー２を利用するか、又はＩＣタグ４を利用するか、それとも双方併用するかは、自由に選択することができる。したがって、部屋の解錠手段と点灯手段との組み合わせに関しては幾つかのパターンが存在するが、ここでは、「利用者Ａが部屋の解錠手段として自己の携帯電話６を希望し、かつ部屋の点灯手段としてＩＤタグの選択した場合」について説明する。
【００２３】
図７は携帯電子機器で部屋を解錠（開錠）する場合のフローチャートである。この場合、利用者Ａは、予め自己の携帯電話６に解錠コード発行部７から解錠コードａを貰い、また、望ましくはＩＣタグ発行部５から発行されたＩＣタグ４を携帯電話６の表面に貼りつけ、指定の部屋１０まで行く。指定の部屋１０の電気錠１１を解錠する場合に於いて、ステップＳ１では、解錠コードａが携帯電話６から電気錠１１の解錠コード読取部１３へと送信する。ステップＳ２では解錠コード読取部１３が解錠コードａを受信したか否かを判別（確認）する。ステップＳ５は解錠コード読取部１３が解錠コードａを受信しなかった場合である。この場合には開閉体解錠部１４は作動しない。
【００２４】
これに対して、ステップＳ３は解錠コード読取部１３が解錠コードａを受信した場合である。この場合には、受信した解錠コードａとセンター処理部８のデータテーブル記億部８ｃに格納されているデータとの照合を行なわれる。照合の結果、両情報が一致したならばステップＳ４に進み、開閉体解錠部１４が作動して電気錠１１が解錠される。この時、開閉体１２を開くと、省エネ装置Ｘを構成するリーダー３５から常に電波が発振されている実施例の場合にあっては、携帯電話６に貼付されているＩＣタグ４と開閉体付近の前記リーダー３５との信号のやりとりが直ちに実行され、部屋１０内の照明灯２１が点灯する。付言すると、カードホルダー２０は開閉体１２付近の壁Ｗに設置されているので、携帯電話６を所持する利用者が部屋１０内に脚を踏み入れると、ＩＣタグ４はカードホルダー２０の検知範囲に存在し、カードホルダー２０の挿入口にキーカードを差し込まなくても、部屋１０内の照明灯２１が瞬時に点灯する。
【００２５】
（４）点灯する場合の一例を示すフローチャート
ここでは第２のマイクロスイッチ３３を操作した場合に於いて、照明灯２１が点灯する場合を説明する。前述したように、リーダー３５から常に電波が発振されている実施形態の場合には、ＩＣタグ４がカードホルダー２０の検知範囲に存在すれば照明灯２１が瞬時に点灯する。しかし、このような実施形態の場合には、部屋を利用しない間、省エネ装置Ｘを十分に発揮することができないという問題点がある。そこで、本実施形態では、カードホルダー２０は使用開始スイッチ３３を備え、照明起動用リーダー３５は、該使用開始スイッチ３３がＯＮになると起動して電波を発信し、一方、使用開始スイッチ３３がＯＦＦになると、電波の発信を停止する。
【００２６】
図８に於いて、ステップＳ１は、携帯電話を所持した利用者Ａが部屋１０に脚を踏み入れ、カードホルダー２０の押しボタン３２を押した場合である。この実施形態では、第２のマイクロスイッチ３３のスイッチが入ると照明制御部３６が作動する。そして、照明制御部３６が作動すると、ステップＳ２に入り、リーダー３５からＩＣタグ４に向けて識別情報を乗せた電波が返信される。ＩＣタグ４に書き込まれている識別情報（ＩＤ）の内容については特に図示しないが、例えばルームナンバー、照明制御部３６の識別番号、ホテルＨの識別番号などである。照明制御部３６の図示しない記憶部には、ＩＣタグ４が保持する識別情報（ＩＤ）に対応した確認情報等が格納されている。
【００２７】
ステップＳ３では、ＩＣタグ４から電波を受信したか否かを判別する。リーダー３５はＩＣタグ４から電波を受信するとステップＳ４へと進む。一方、リーダー３５は電波を受信しなかった場合にはステップＳ６へ進み、照明灯２１は点灯しない。ステップＳ４では、例えば照明制御部３６の記憶部の確認情報（照明制御部３６とセンター処理部８が接続している実施例形態によっては、センター処理部８のデータテーブル記憶部８ｃに格納されている確認情報）と、ＩＣタグ４から受取った識別情報（ＩＤ）が一致するか否かの照合が行なわれる。その結果、情報が一致しない場合はステップＳ６に進み、一方、情報が一致した場合にはステップＳ５に進むので、照明灯２１が点灯する。
【００２８】
（５）消灯する場合の一例を示すフローチャート
本実施形態では、照明起動用リーダー３５は、定期的（所定時間経過後）にＩＣタグ４が検知範囲内に存在するか否か確認し、ＩＣタグ４が検知範囲内に存在しない場合に於いて、カードホルダー２０は、その照明制御部３６よって、省エネスイッチである第１のマイクロスイッチ３７を作動させて部屋内の照明灯を消す初期状態へと戻す。
【００２９】
図９は照明灯２１が点灯した後のフローチャートで、このフローチャートのポイントはステップＳ７である。ステップＳ７では、照明灯２１が点灯してからの時間を図示しないタイマー回路で計測し、例えば１０分、２０分、３０分、４０分、１時間等の所定時間が経過した場合にステップＳ８に進み、再度リーダー３５からＩＣタグ４に向けて電波が送信される。ステップＳ９では、図８で説明したようにリーダー３５から電波が受信したか否かの確認（判定）がなされ、その結果、Ｎｏ（受信しない）の場合はステップＳ１１へと進み、一方、Ｙｅｓ（再び受信した）の場合はステップＳ１０へと進み、点灯が継続する。
【実施例】
【００３０】
カードホルダー２０のケースの表面には、押しボタン３２式のスイッチを押して部屋内の照明灯２１を点灯した場合に、照明灯２１と同時に点灯する表示部（例えばＬＥＤランプ）が設けられている（図示しない）。また、利用者Ａがチェックアウトした場合或いは使用期間（時間）の経過後にセンター処理部８で各部屋の照明灯２１が消灯するように省エネ装置Ｘの照明制御部３６を制御しても良い。
【００３１】
図１０は発信電波が中出力型ＵＨＦ帯である場合の他の実施形態の要部構成図である。図１０の（ａ）は部屋１０を平面から見た概略説明図である。また、図１０の（ｂ）は、該実施形態の技術的思想を概念的に示す説明図である。この実施形態では、ホテルの部屋１０の開閉体１２付近の壁Ｗには親機としてのカードホルダー２０が設けられ、この親機２０に対して所要間隔を有して子機（子機１乃至子機ｎ）としての照明起動用リーダー３５を含む照明制御部３６がさらに前記部屋内１０に配設されている。
【００３２】
子機は一台でも良いが、照明起動用リーダー３５の検知範囲について法律上の規制があり、事実上、高出力型ＵＨＦ帯を使用するのが難しい場合には、図１０で示すように、子機を部屋内の壁、床、天井、ベッド、机、クローゼット等の適宜箇所に多数配設し、親機ないし子機の各照明制御部３６に必要なソフトを入れ、後順位の子機がＩＣタグからの信号を受信した場合には、先順位の子機に対してリレー方式で受信した旨を伝達するように構成する。このように構成すると、照明起動用リーダー３５の検知範囲を広げ、例えばベッドの枕もと、デスクの上、クローゼット内等に携帯電子機器が存在しても、ＩＣタグとの通信が可能となる。
【００３３】
なお、特に図示しないが、前記子機が複数個存在する実施例に於いて、複数の子機をハブ方式で接続し、中心の子機が手を繋ぐ他の子機からＩＣタグからの信号を受信した旨の信号を受け取った場合には、親機に対してその旨を伝達するようにしても良い。加えて、ホテルのフロントの存在する階にセンター処理部と接続するＩＣタグ発行部が設けられて、該ＩＣタグ発行部から発行されたＩＣダグは、望ましくは利用者（宿泊者）が所持する携帯電子機器、ポーチ、セカンドバック等に添付（例えば貼付）される。
さらに、周知事項ではあるが、「カードホルダー」は、部屋内の照明等を点灯・消灯をすることができるのみならず、エアコン、冷蔵庫等の電気機器をＯＮ、ＯＦＦすることもできるので、従来のカードシステムをそのまま利用しても良いことは当然である。
【産業上の利用可能性】
【００３４】
錠前や建具の分野で利用される。
【符号の説明】
【００３５】
Ｘ…省エネ装置、Ｈ…ホテル、Ａ…利用者、１…フロント、２…カードキー、３…カードキー発行部、４…ＩＣタグ、５…ＩＣタグ発行部、６…携帯電子機器、７…解錠コード発行部、８…センター処理部、１０…部屋、１１…電気錠、１２…開閉体、２０…カードホルダー、２１…照明灯、２２…ケース、２２…カード挿入口、２８…カード挿入検知スイッチ、２９…内部空間、３…使用開始スイッチ、３５…照明起動用リーダー、３６…照明制御部、３７…リレー。
【図１】
2012043552.tif 000003
【図２】
2012043552.tif 000004
【図３】
2012043552.tif 000005
【図４】
2012043552.tif 000006
【図５】
2012043552.tif 000007
【図６】
2012043552.tif 000008
【図７】
2012043552.tif 000009
【図８】
2012043552.tif 000010
【図９】
2012043552.tif 000011
【図１０】
2012043552.tif 000012